(57)【要約】複合創傷手当て装置は、創傷手当て部材の中または上に収容されているマイクロポンプシステムの使用を介して、創傷の治癒を促進する。マイクロポンプシステムは、小型のポンプを含み、該小型のポンプは、大気圧よりも低い圧力を創傷に加えて、わずらわしい外部の真空源を必要とすることなく、創傷床から離れるように創傷流体または滲出物を効果的に吸い出す。従って、創傷手当てとマイクロポンプシステムとはポータブルであり、外部の真空源が使用されるときには手に入れられない患者の移動を可能にする。患者は、滲出物が創傷から除去されている間、いかなる時点においても拘束される必要はない。
2009506878.tif 000002
【特許請求の範囲】
【請求項１】
創傷手当て装置であって、該装置は、
創傷床に対して配置するための大きさにされた創傷手当て部材と、
該創傷床からの流体の除去を促進するために、少なくとも該創傷手当て部材に大気圧よりも低い圧力を加えるマイクロポンプを含むマイクロポンプシステムであって、該マイクロポンプは、該創傷手当て部材に据え付けられている、マイクロポンプシステムと
を備えている、創傷手当て装置。
【請求項２】
前記マイクロポンプは、約２０ｍｍＨｇと約５００ｍｍＨｇとの間の範囲にある、大気圧よりも低い圧力を生成するように適合されている、請求項１に記載の創傷手当て装置。
【請求項３】
前記マイクロポンプシステムは、該マイクロポンプの動作を制御する制御手段を含む、請求項１に記載の創傷手当て装置。
【請求項４】
前記マイクロポンプシステムは、前記創傷手当て部材に対する所定の位置における圧力を検出するように、かつ、対応する信号を前記制御手段に送信するように適合された圧力センサを含む、請求項３に記載の創傷手当て装置。
【請求項５】
前記制御手段は、前記圧力センサによって感知された圧力に応答して前記マイクロポンプの出力を制御または変更するように適合されたモータコントローラを含む、請求項４に記載の創傷手当て装置。
【請求項６】
前記マイクロポンプシステムは、前記マイクロポンプを作動するバッテリを含み、該バッテリは、前記創傷手当て部材の中への埋込に適合されている、請求項３に記載の創傷手当て装置。
【請求項７】
前記創傷手当て部材は、前記創傷床に隣接して配置可能な下側部材と、該下側部材に隣接して配置可能な上側吸収性部材と、上部部材とを含む、請求項１に記載の創傷手当て装置。
【請求項８】
前記マイクロポンプは、少なくとも部分的には、前記上側吸収性部材の中に配置されている、請求項７に記載の創傷手当て装置。
【請求項９】
前記上部部材は、粘着性の部材であり、該粘着性の部材は、前記創傷床の周囲に固定されるように適合されており、前記創傷手当て部材と該創傷床を囲む組織との間に封鎖を提供する、請求項８に記載の創傷手当て装置。
【請求項１０】
前記下側部材は、薬物、抗感染薬、殺菌剤、ポリヘキサメチレンビグアニド（以下では「ＰＨＭＢ」）、抗生物質、創面切除剤、鎮痛剤、治癒因子、ビタミン、成長因子および栄養剤のうちの少なくとも１つを含む、請求項７に記載の創傷手当て装置。
【請求項１１】
前記下側部材は、マイクロビーズのパッキングおよび吸収性フォームのうちの１つを含む、請求項７に記載の創傷手当て装置。
【請求項１２】
前記上側吸収性部材は、フォーム、不織布の複合織物、セルロース織物、高吸収性ポリマ、およびそれらの組み合わせから成る群から選択される材料を含む、請求項７に記載の創傷手当て装置。
【請求項１３】
前記上側吸収性部材は、薬物、抗感染薬、殺菌剤、ポリヘキサメチレンビグアニド（以下では「ＰＨＭＢ」）、抗生物質、鎮痛剤、治癒因子、ビタミン、成長因子および栄養剤のうちの少なくとも１つを含む、請求項１２に記載の創傷手当て装置。
【請求項１４】
前記上部部材は、透明な材料を含む、請求項７に記載の創傷手当て装置。
【請求項１５】
前記創傷手当て部材は、該創傷手当て部材の中の圧力のレベルを示す圧力インジケータを含む、請求項１４に記載の創傷手当て装置。
【請求項１６】
前記創傷手当て部材は、該創傷手当て部材の飽和の程度を識別する飽和インジケータを含む、請求項１４に記載の創傷手当て装置。
【請求項１７】
前記上部部材は、それと関連するアクセスドアを含み、かつ、前記創傷手当て部材を実質的に囲む閉じた位置と該創傷手当て部材への内部アクセスを可能にする開いた位置との間で選択的に動くことができる、請求項７に記載の創傷手当て装置。
【請求項１８】
創傷手当て装置であって、該装置は、
創傷床に対して配置可能な吸収性部材を含む創傷手当て部材と、
該創傷手当て部材の中またはそれに隣接して含まれるマイクロポンプシステムであって、該マイクロポンプシステムは、該創傷床からの流体の除去を促進するために、大気圧よりも低い圧力を該創傷床に加えるマイクロポンプを含む、マイクロポンプシステムと
を備えている、創傷手当て装置。
【請求項１９】
前記マイクロポンプシステムは、前記マイクロポンプに電力を供給するバッテリを含む、請求項１８に記載の創傷手当て装置。
【請求項２０】
前記マイクロポンプシステムは、該マイクロポンプの動作を制御する制御手段を含む、請求項１９に記載の創傷手当て装置。
【請求項２１】
前記マイクロポンプシステムは、前記創傷手当て部材に対する所定の位置における圧力を検出する圧力センサを含む、請求項２０に記載の創傷手当て装置。
【発明の詳細な説明】
【技術分野】
【０００１】
（関連出願の引用）
本特許出願は、２００６年９月６日に米国特許商標局に出願された米国仮特許出願第６０／７１４，８１２号の優先権と利益とを主張する。
【０００２】
（技術分野）
本開示は、開放創を処置する装置に関し、さらに詳細には、マイクロポンプシステムを有する自蔵創傷手当てに関しており、該マイクロポンプシステムは、手当ての真空領域の中に創傷の流体を吸い出し、創傷の治癒の進行を促進する。
【背景技術】
【０００３】
創傷が閉鎖するまで創傷の中心に向かう、創傷に隣接した上皮および皮下の組織の移動を、創傷閉鎖は含む。残念ながら、大きな創傷または感染した創傷では、閉鎖は困難である。そのような創傷において、鬱血の領域（すなわち、組織の局所的な腫れが組織に対する血流を制限する範囲）が、創傷の表面の近くに形成される。充分な血流がなければ、創傷を囲んでいる上皮および皮下の組織は、減少した酸素と栄養としか受け取れないだけでなく、細菌感染と成功裏に戦うことがあまりできなくもなり、従って、自然に創傷を閉鎖することがあまりできなくなる。そのような創傷は、長年、医療従事者に対して課題を提示してきた。
【０００４】
創傷手当てが、開放創の治癒を保護および／または促進するために、医療業界において使用されてきた。１つの技術は、陰圧療法の使用であり、吸引または真空療法としても公知である。過度の創傷流体、すなわち、滲出物が除去されることを可能にしながら、同時に、創傷を孤立させて創傷を保護し、結果として、回復時間に影響するように、様々な陰圧デバイスが開発されてきた。様々な創傷手当てが、開放創の治癒を高めるように改変されてきた。
【発明の開示】
【発明が解決しようとする課題】
【０００５】
創傷手当てを使用するときに、継続的に対処される必要のある課題は、使用の容易さ、創傷を治癒する効率、および一定の陰圧源を含む。従って、開放創に対する陰圧創傷手当てを常に改善する必要性がある。
【課題を解決するための手段】
【０００６】
１つの好適な実施形態において、創傷手当て装置は、創傷床に対して配置するような大きさにされた創傷手当て部材と、マイクロポンプシステムとを含む。マイクロポンプシステムは、創傷床からの流体の除去を促進するために、少なくとも創傷手当て部材に大気圧よりも低い圧力を加えるマイクロポンプを含む。マイクロポンプは、好適には、創傷手当て部材に据え付けられている。好適なマイクロポンプは、約２０ｍｍＨｇと約５００ｍｍＨｇとの間の範囲にある、大気圧よりも低い圧力を生成するように適合されている。
【０００７】
マイクロポンプシステムは、マイクロポンプの動作を制御する制御手段を含み得る。マイクロポンプシステムは、創傷手当て部材に対する所定の位置における圧力を検出するように、かつ、対応する信号を制御手段に送信するように適合された圧力センサをさらに含み得る。制御手段は、圧力センサによって感知された圧力に応答してマイクロポンプの出力を制御または変更するように適合されたモータコントローラを含み得る。マイクロポンプシステムはまた、マイクロポンプを作動するための電源、例えば、バッテリを含み得る。バッテリは、創傷手当て部材の中または創傷手当て部材の外側への埋込に適合され得る。再充電可能なバッテリが想定される。
【０００８】
好適な創傷手当て部材は、創傷床に隣接して配置可能な下側部材と、下側部材に隣接して配置可能な上側吸収性部材と、上部部材とを含む。マイクロポンプは、少なくとも部分的には、上側吸収性部材の中に配置されている。上部部材は、粘着性の部材であり、該粘着性の部材は、創傷床または創傷床の周囲に固定されるように適合されており、創傷手当て部材と創傷床を囲む組織との間に封鎖を提供する。下側部材は、薬物、抗感染薬、殺菌剤、ポリヘキサメチレンビグアニド（以下では「ＰＨＭＢ」）、抗生物質、鎮痛剤、治癒因子、ビタミン、成長因子および栄養剤のうちの少なくとも１つ、および／またはマイクロビーズのパッキングおよび吸収性のフォームのうちの１つを含み得る。上側吸収性部材は、フォーム、不織布の複合織物、セルロース織物、高吸収性ポリマ、およびそれらの組み合わせから成る群から選択される材料を含み得る。
【０００９】
上部部材は、透明であり得るかまたは透明ではあり得ない閉鎖材料を含み得る。創傷手当て部材は、創傷手当て部材の中の圧力のレベルを示す視覚的圧力インジケータを含む。創傷手当て部材は、創傷手当て部材の飽和の程度を識別する飽和インジケータを含み得る。上部部材は、それと関連するアクセスドアを含み、かつ、創傷手当て部材を実質的に囲む閉じた位置と創傷手当て部材への内部アクセスを可能にする開いた位置との間で選択的に動くことができる。
【００１０】
別の実施形態において、創傷手当て装置は、創傷床に対して配置可能な吸収性部材を含む創傷手当て部材と、創傷手当て部材の中に含まれるマイクロポンプシステムを含む。マイクロポンプシステムは、創傷床からの流体の除去を促進するために、大気圧よりも低い圧力を創傷床に加えるマイクロポンプと、マイクロポンプに電力を供給する移植可能または取り付け可能な電源とを含む。マイクロポンプシステムは、マイクロポンプの動作を制御する制御手段と、創傷手当て部材に対する所定の位置における圧力を検出する圧力センサとを含む。
【発明を実施するための最良の形態】
【００１１】
対象の創傷手当ての様々な実施形態が図面を参照して本明細書に記述される。
【００１２】
本開示の複合創傷手当て装置は、創傷手当ての中に収容されているマイクロポンプシステムの使用を介して、創傷の治癒を促進する。マイクロポンプシステムは、小型のポンプを含み、該小型のポンプは、外部の真空源を必要とすることなく、創傷床から離れるように創傷流体または滲出物を効果的に吸い出すように、大気圧よりも低い圧力を加える。従って、創傷手当てとマイクロポンプシステムとの形式における創傷手当て装置はポータブルであり、外部の真空源が使用されるときには手に入れられない患者の移動を可能にする。患者は、滲出物が創傷から除去されている間、いかなる時点においても拘束される必要はない。
【００１３】
ここで図１および図２を参照すると、本開示の好適な実施形態に従った複合創傷手当て装置１０は、並列されたまたは重ねられた関係で配置された複数の層を有する創傷手当て１００の形式で例示されている。複数の層は、限定するものではないが、基部または下側の層１０２と、パッキング層１０４と、粘着性の層１０６と、マイクロポンプシステム１０８を収容する吸収性層１０６と、閉鎖する粘着性の上部層１１０とを含む。
【００１４】
基部層１０２は創傷床「ｗ」と直接的に接触し、組織に粘着し得るかまたは非粘着性であり得る。基部層１０２は、一般的に、多孔性である。本明細書において使用される場合、「非粘着性」は、創傷床およびその周囲において組織に粘着しない材料を指す。本明細書において使用される場合、「多孔性」は多数の小さい穿孔または細孔を含む材料を指し、該多数の小さい穿孔または細孔は、あらゆる種類の創傷流体が上の手当て層まで材料を通過することを可能にする。創傷の滲出物が創傷床に戻るように流れないために、非粘着性の材料を通る創傷流体の通過は、好適には、一方向性である。この方向性の流れの特徴は、材料層の中に付与された方向性のアパーチャ、基部層１０２に対する異なる吸収作用の材料の積層、または方向性の流れを助長する特定の材料の選択の形式であり得る。二方向性の流れの材料がまた、基部層１０２に対して想定されており、創傷の中への流体の薬物の注入を可能にする。基部層１０２として使用される例示的な材料は、ＴｙｃｏＨｅａｌｔｈｃａｒｅの一部門であるＫｅｎｄａｌｌ  Ｃｏｒｐ．によって商標ＸＥＲＯＦＬＯＴＭの下で販売されている接触層を含む。
【００１５】
さらに、ヒドロゲルおよび薬物のような薬剤が、基部層１０２に結合またはコーティングされ、創傷における生物汚染度を減少させ、治癒を促進し、手当ての交換または除去と関連する痛みを減少させる。薬物は、例えば、抗菌剤、成長因子、抗生物質、鎮痛剤、創面切除剤などを含む。さらに、鎮痛剤が使用されるときには、鎮痛剤は、手当ての除去または交換に先立ち、その薬剤の放出を可能にするメカニズムを含み得る。
【００１６】
基部層１０２に近い層は、パッキング層１０４である。パッキング１０４は、創傷流体および滲出物を吸収して捕獲することを意図されている。パッキング層１０４として使用される例示的な材料は、ＴｙｃｏＨｅａｌｔｈｃａｒｅの一部門であるＫｅｎｄａｌｌ  Ｃｏｒｐ．によって商標ＫＥＲＬＩＸＴＭの下で販売されている抗菌性の手当てを含む。パッキング層１０４は任意の適切な形状に形成され得るということを、当業者は認識する。形状に関する１つの好適な特性は、パッキング層１０４が特定の形状の創傷に適合することに適していることである。
【００１７】
パッキング層１０４のさらなる使用は、創傷床における感染の発生率を減少させることである。従って、パッキング層１０４は薬物を用いて処理され得る。薬物は、例えば、殺菌剤または他の適切な抗菌剤もしくは抗菌剤の組み合わせのような抗感染剤、ポリヘキサメチレンビグアニド（以下では「ＰＨＭＢ」）、抗生物質、鎮痛剤、創面切除剤、ビタミンのような治癒因子、成長因子、栄養剤など、および等浸透圧の塩水のような因子を用いた単純な流水洗浄を含む。
【００１８】
パッキング層１０４に近い層は、吸収性層１０６である。創傷手当て装置１０の吸収性層１０６は、創傷流体および滲出物を吸収して捕獲することを意図されている。吸収性層１０６はまた、マイクロポンプシステムを収容する。好適には、吸収性層１０６は、マイクロポンプシステム１０８を受け入れるように事前成形または形成される。この点に関して、吸収性層１０６は、くぼみまたは凹所１１２を有しマイクロポンプ１０８を収容し得る。あるいは、吸収性層１０６は、マイクロポンプシステム１０８を受け取るおよび／または閉じ込めるように形成または成形されるように、積み重ねることが可能であり得る。例示的な吸収性材料は、フォーム、不織布の複合織物、セルロース織物、高吸収性ポリマ、およびそれらの組み合わせを含む。好適には、吸収性層１０６は、かなりの量の滲出物、例えば、最大で少なくとも１００立方センチメートル（ｃｃ）以上の創傷流体を吸収し得る。吸収性層１０６は、複数の層を含み得る。
【００１９】
吸収性層１０６はまた、薬物を用いて処理される。薬物は、例えば、殺菌剤または他の適切な抗菌剤もしくは抗菌剤の組み合わせのような抗感染剤、ポリヘキサメチレンビグアニド、抗生物質、鎮痛剤、ビタミンのような治癒因子、創面切除剤、成長因子、栄養剤など、および等浸透圧の塩水のような流水洗浄因子を含む。
【００２０】
吸収性層１０６は、マイクロポンプシステム１０８から独立した圧力インジケータ１１４をさらに含み得る。圧力インジケータ１１４は、吸収性層１０６または創傷手当て装置１０の境界に据え付けられ得るか、固定され得るか、または埋め込まれ得る。あるいは、圧力インジケータ１１４は創傷手当て１００の外側にあり、圧力チューブなどを通じて創傷手当ての内側と連絡する。圧力インジケータ１１４は、ＰＣＢ（登録商標）  Ｐｉｅｚｏｔｒｏｎｉｃｓによる商用名Ｄｙｎａｍｉｃ  ＩＰ（登録商標）  Ｐｒｅｓｓｕｒｅ  Ｓｅｎｓｏｒの下で販売されている市販の圧力センサの形式であり得る。圧力インジケータ１１４は色分けされ得、デバイス上の１つの色（例えば、赤色）は、非真空状態を示し、第２の色（例えば、緑色）が適切な真空状態を示す。吸収性層１０６は、吸収性層１０６の表面に据え付けられたまたは埋め込まれた飽和インジケータ１１６をされに含み得る。飽和インジケータ１１６は、限定するものではないが、ＰＥＨＡＮＡＬ（登録商標）およびＰＡＮＰＥＨＡ（登録商標）のようなリトマス紙を含み得、滲出物および創傷流体を有する吸収性層１０６の飽和のレベルまたは程度をユーザに示す。飽和インジケータ１１６は、ユーザが、吸収性層１０６の残りの容量、すなわち吸収性層１０６が交換を必要としているかを決定することを助ける。吸収性層１０６に据え付けられているかまたは埋め込まれているとして開示されているが、飽和インジケータ１１６は創傷手当て１００の任意のコンポーネントの中に配置され得る。
【００２１】
図１および図２を続けて参照すると、粘着性の上部層１１０は、創傷床「ｗ」を囲む創傷手当て１００の周囲を含み、創傷床「ｗ」の周囲に封鎖を提供する。例えば、封鎖メカニズムは、創傷床「ｗ」を囲む層に結合される任意の粘着剤であり得る。粘着剤は、創傷床「ｗ」の皮膚を囲んでいる組織「ｔ」、例えば、創傷周囲の範囲に許容可能な接着を提供し、接触劣化を伴うことなく、皮膚での使用に耐えることができなければならない（例えば、粘着剤は、好適には、刺激することなくかつ感作しないものであるべきである）。粘着剤は透過性であり、接触された皮膚が呼吸し水分を透過することを許容し得る。さらに、粘着剤は、加熱または所与の流体溶液もしくは化学反応のような外部刺激によって活性化または不活性化され得る。粘着剤は、例えば、Ｔｙｃｏ  Ｈｅａｌｔｈｃａｒｅ  Ｇｒｏｕｐ  ＬＰの一部門であるＫｅｎｄａｌｌ  Ｃｏｒｐ．によってＵｌｔｅｃ（登録商標）  Ｈｉｄｒｏｃｏｌｌｉｄ  ＤｒｅｓｓｉｎｇまたはＣｕｒａｇｅｌ（登録商標）  Ｈｙｄｒｏｇｅｌを含む。
【００２２】
粘着性の上部層１１０は、好適には、吸収性層１０６の近位に据え付けられたシートの形式である。好適には、上部層１１０は、吸収性層１０６の容易な取替えを可能にするために、吸収性層１０６に結合されない。好適な実施形態において、上部層１１０の周辺部分１１０Ｐは、基部層１０２の周辺部分１０２Ｐに結合され、創傷床「ｗ」付近で組織「ｔ」に固定される。リムーバブルライナーがまた、使用に先立ち、粘着性の層１１０の粘着面を保護するために使用され得ることが見込まれている。
【００２３】
上部層１１０は、一般的には、可撓性の材料、例えば、弾力的またはエラストマーの材料であり、創傷手当て１００の上部を封鎖する。例示的な可撓性の材料は、Ｔｙｃｏ  Ｈｅａｌｔｈｃａｒｅ  Ｇｒｏｕｐ  ＬＰの一部門であるＫｅｎｄａｌｌ  Ｃｏｒｐ．による商標Ｐｏｌｙｓｋｉｎ（登録商標）  ＩＩの下で製造されている完全にまたは部分的に透明な手当てを含む。Ｐｏｌｙｓｋｉｎ（登録商標）  ＩＩは透明な半透過性の材料であり、それが創傷部位からの水分の通過を可能にし、細菌および流体の汚染に対するバリアを提供する。代替案において、上部層１１０は水分に対して不透過性であり得る。上部層１１０の透明性が創傷手当ての状態、さらに詳細には、創傷手当ての層の飽和レベルの状態の視覚的しるしを提供する。さらに正確には、上部層１１０の透明性が、圧力インジケータ１１４および飽和インジケータ１１６のそれぞれの状態を医師に見せることを可能にする。
【００２４】
上部層１１０はアクセスドア１１８を含み、創傷手当て１００の内部および／または創傷床「ｗ」へのアクセスを提供し得る。ドア１１８は上部層１１０と一体で形成されたフラップであり得るか、またはヒンジなどを介して上部層１１０に接続された別個のコンポーネントであり得る。ドア１１８は好適には再封鎖可能であり、創傷手当て１００の完全性を維持し、かつ、上部層１１０に対する封鎖を提供する。ドア１１８を解放可能に封鎖する１つの適切な手段は、スナップフィット配置、舌と溝との配置、「ｚｉｐ  ｌｏｃｋ（登録商標）」配置、粘着剤、ＶＥＬＣＲＯ（登録商標）などを含む。ドア１１８は好適には創傷床「ｗ」へのアクセスを提供し、医師が、創傷の状態を監視すること、吸収性層１０６を交換すること、マイクロポンプシステム１０８を交換することと、または必要に応じて、成長因子、創面切除剤、または他の創傷治癒剤のような追加の医療処置を創傷に適用することを可能にする。所望の手順が完了すると、アクセスドア１１８は上部層１１０に再封鎖され、創傷手当て１００の完全性を維持する。
【００２５】
ここで、図１および図２と共に、図３の概略図を参照すると、マイクロポンプシステム１０８が記述されている。マイクロポンプシステム１０８は、約１インチ〜３インチの範囲の長さと好適には約１インチを上回らない比較的小さい直径とを有する小型のポンプまたはマイクロポンプ１２０を含む。マイクロポンプ１２０は任意のタイプのポンプであり得、該任意のタイプのポンプは、生体適合性があり、かつ、適切な治療の真空レベルを維持または吸い出す。マイクロポンプ１２０は、吸収性層１０６に埋め込まれ得るか、または層１０６に据え付けられ得るか、または代替的に創傷手当て１００の範囲の中に関連付けられ得る。本明細書において使用される場合、「治療の真空レベル」は、創傷床から離れるように創傷流体および滲出物を吸い出す真空レベルを指す。好適には、達成されるべき真空レベルは、約７５ｍｍＨｇと約１２５ｍｍＨｇとの間の範囲にある。マイクロポンプ１２０は、使い捨て、取り外し可能、再利用可能および／または再充電可能であり得る。一般的には、マイクロポンプ１２０は、ダイアフラム型または蠕動型などのポンプであり、該マイクロポンプ１２０において、可動部分は、減圧の範囲または領域、例えば、真空の領域を創傷手当て１００に作成することによって、創傷床から創傷手当ての中に滲出物を吸い出す。この減圧の範囲は、好適には、創傷床「ｗ」と連絡し、そこから吸収性層１０６の中への流体の除去を促進する。マイクロポンプ１２０は当業者には公知の任意の手段によって作動され得る。本開示の好適な実施形態において、マイクロポンプ１２０は、蠕動ポンプである。１つの適切なマイクロポンプは、Ｐｉａｂ  Ｖａｃｕｕｍ  Ｐｒｏｄｕｃｔｓ  ｉｎ  Ｈｉｎｇｈａｍ，  ＭＡによって製造されている。好適には、蠕動ポンプは、約２０ｍｍＨｇ〜約５００ｍｍＨｇの範囲にある、大気圧よりも低い圧力を生成する。
【００２６】
マイクロポンプシステム１０８は、好適には、内部の自蔵バッテリ源１２２と、マイクロポンプ１２０付近またはマイクロポンプ１２０から外れた選択位置の圧力を監視する圧力センサまたはトランスデューサ１２４と、調整または制御手段１２６とを含む。制御手段１２６は、処理および駆動の回路網を含むモータコントローラ／ドライバ１２８を組み込み、圧力センサ１２４によって感知された圧力に応答して、マイクロポンプ１２０のモータに対する駆動電圧を制御または変更し得る。マイクロポンプ１２０のモータの出力は、制御手段１２６によって制御されると、増加もしくは減少、または開始もしくは停止され得る。大気圧よりも低い最適な圧力が達成されない場合には、圧力センサ１２４はまた、創傷閉鎖装置１０内の漏れを検出することを助ける情報を提供する。調整または制御手段１２６はまた、視覚的、聴覚的、触覚的な感覚的警報（例えば、振動など）のような警報を有し、特定の状態（例えば、所望の真空レベル、または真空の損失）を満たしたときにユーザに示し得る。
【００２７】
マイクロポンプシステム１０８は、好適には、創傷手当て１００の中への埋込に適合されており、すなわち、マイクロポンプシステム１０８は、埋込可能な自蔵ユニットである。バッテリ源１２２と制御手段１２６とはマイクロポンプ１２０の筐体の中に造られ得る。圧力センサ１２４は、マイクロポンプ１２０の筐体の外表面に据え付けられ得るか、または筐体内のポートを介して連絡し得る。圧力センサ１２４はまた、マイクロポンプ１１８の筐体から動かされ得、例えば、マイクロポンプ１２０から外れた位置において吸収性の層１０６の中に埋め込まれ得、かつ、電気接続を介して制御手段１２６に接続され得る。マイクロポンプ１２０とバッテリ１２２とは、使い捨てまたは再利用可能であり得る。好適には、マイクロポンプシステム１０８は、例えば、一回の使用の後、完全に捨てることができ、創傷手当て１００の吸収性層１０６と共に捨てられ得る。あるいは、マイクロポンプシステム１０８は、吸収性層１０６から取り除かれ得るか、または接続を断たれ得、創傷閉鎖１００の中への配置のために別の吸収性層１０６の中に再設置され得る。
【００２８】
マイクロポンプシステム１０８は無線送信手段を介して外部から制御され得ることがまた想定される。この代替の実施形態において、外部の無線周波数（ＲＦ）トランスミッタまたはアンテナ１３０（図３で点線で示されている）は、制御手段１２６と関連している受信トランスミッタ１３２に信号を送／受信し、マイクロポンプシステム１０８の機能を制御する制御手段を動作し得る。当業者は、遠隔無線周波数（ＲＦ）手段を介して動作するように、マイクロポンプシステム１０８を容易に適合させ得る。マイクロポンプシステム１０８は、コンピュータ、例えば、ハンドヘルドのＰＡＬＭデバイスと通信する回路網を組み込み得る。
【００２９】
使用において、創傷手当て１００は、図２に示されているような創傷床「ｗ」の中に配置される。その後、マイクロポンプ１２０は、創傷手当て１００の中に、大気圧よりも低い圧力（すなわち、真空状態）の領域を作成することを開始させられる。マイクロポンプ１２０は、制御手段１２６と関連する手動のスイッチ１３０を介して開始され得るか、または圧力センサ１２４を介して始められ得、該圧力センサ１２４は、創傷手当て１００の中の大気圧よりも低い圧力の欠如を検出し、対応する信号を制御手段１２６に送信する。次に、制御手段１２６はマイクロポンプ１２０を作動する。創傷閉鎖１００の中の大気圧よりも低い圧力が増加すると、上部層１１０が図４に描かれた位置までつぶれる。所望のレベルの大気圧よりも低い圧力が、例えば、圧力センサ１２４によって検出されたときに達成されると、圧力センサ１２４は信号を制御手段１２６に送信する。制御手段１２６は、マイクロポンプ１２０の動作を終了し得るか、または代替的にマイクロポンプ１２０の速度または出力を変更し得る（例えば、減少させる）かのいずれかである。真空状態において、創傷流体と滲出物とが、収集されるために吸収性層１０６の中に吸い出される。しばらくすると、創傷手当て１００は、圧力センサ１２４によって検出されたときに、真空状態を失くし得る。真空状態の喪失の視覚的確認がまた、上部層１１０を通じて真空インジケータ１１４を見ることによって確実にされ得る。所望の真空レベルの喪失が達成されたときには、圧力センサ１２４は，信号を制御手段１２６に送信して、マイクロポンプ１２０の出力を作動または増加させる。このプロセスは、創傷の治癒の間に数回継続し得る。
【００３０】
上部層１１０を通して飽和インジケータ１１６を見ることによって検出されるときに、吸収性層１０６が完全に飽和されていると、アクセスドア１１８が、図５に示されているように開かれ得る。吸収性層１０６とマイクロポンプシステム１０８とがドアを通って取り除かれ得る。述べられているように、新たな吸収性層１０６および／または新たなマイクロポンプシステム１０８が、次に、ドア１１８を通って導入され、かつ、創傷手当て１００の中に設置され得る。
【００３１】
図６は、本開示の代替の実施形態を例示している。この実施形態に従って、創傷手当て２００は、ビーズパッキング２０２と接触層２０４と毛管層２０６とパッキング層２０８と閉塞層２１０とを含む。ビーズパッキング２０２は、複数の抗菌ビーズ、すなわち、成長因子、薬物、抗生物質、鎮痛剤、およびビタミンのような治癒因子、成長因子、栄養剤などを有するビーズを組み込み得る。これらのビーズは、好適には、非粘着性であり、所定の期間の間、生体吸収性であり得る。あるいは、ビーズは非生体吸収性であり得る。ビーズは創傷部位の中に注入可能であり得る。複数の用途のビーズがまた想定されている。
【００３２】
あるいは、接触層２０４は、上で述べられた基部層１０２と同様であり得、好適には、多孔性である。毛管層２０６は複数の毛管ファイバを含んでマイクロチャネルを画定し、該毛管ファイバは、液体の制御された方向性の流れを可能にして、例えば、創傷からの滲出物の排液を可能にする。これらのチャネルは、シート、フィルム、またはチューブに成形され、均一なまたはふぞろいの寸法であり得、層の長手方向に沿って伸長し得る。マイクロチャンネルは、望ましくは、１つの方向、すなわち、例えば、透析フィルタと同様な創傷排液に向けて創傷から離れる流体の流れを可能にする。パッキング層２０８とマイクロポンプ２１２とは、上で述べられた対応物と実質的に同様である。閉塞層２１０は、シリコンまたはヒドロゲルの材料を備え得、皮膚の接触側に粘着されかつ外側に対しては非粘着性であり得、好適には、水分／油分のある環境において粘着性がある。閉塞層２１０はまた、フィルムを形成する液体の材料であり得、該フィルムを形成する液体の材料は、上に記述されたものと同じ表面特性を有する手当てを覆った塗布のためのスプレーメカニズムから分配される。創傷手当て２００はさらに、外部の排液キャニスタ、例えば、排液バッグへの接続のための補助ポート２１４をさらに組み込み得る。
【００３３】
図７は、代替の創傷手当て３００を例示しており、該創傷手当て３００は、ビーズ層の代わりに生体適合性のフォーム３０２を組み込む。フォーム３０２は、弾性があり液体吸収性で多孔性の、ポリマを基にしたフォームであり得る。フォーム３０２は分配可能な液体であり得、少なくとも部分的には、結晶状の配列に凝固し、滲出物の排液を可能にする中空のチューブを画定する。フォーム３０２は、創傷床の中に分配され、フォームチャネルから空気を排出するために潜在的に折りたたむことができる。フォーム３０２は、膨張可能な親水性のフォームであり得、創傷から流体を吸収することが可能であり、創傷床の湿性を維持する。中空のチューブまたは隙間がフォーム３０２によって画定され、また電気、熱、冷気、および超音波を伝える手段を提供する。中空のチューブまたは隙間はまた、組織の成長のための生体活性の足場を提供する。創傷手当て３００は、ポート３０６を介して手当て３００の内側に接続されているアコーディオン状のバッグまたはキャニスタ３０４をさらに含む。キャニスタ３０４は、エネルギーを創傷の滲出物に伝えバッグの中に流体を排出するために圧縮され得る。１つの適切なシステムが、Ｇｒｏｓｓらに対する同一人に譲渡された米国特許第５，５４９，５８４号に開示されており、該特許の全内容は、本明細書において参考として援用される。所望される場合には、一方向弁が、キャニスタ３０４に通じるポートの中に組み込まれ得る。
【００３４】
創傷手当て装置は外部の手段または塗布を組み込み、組織の成長および／または治癒を刺激し得るということがさらに想定されている。例えば、超音波トランスデューサが創傷手当て装置に組み込まれ、例えば、治癒を刺激するために創傷範囲に熱または振動エネルギーを導く、および／または皮膚を通して人間の体に様々な薬剤を導入するなどの、組織の処置のための機械的エネルギーを伝え得る。酸素、化学物質、細菌、灌水および／または温度のセンサを含む他のタイプのセンサがまた、創傷手当て装置への組み込みを想定されている。創傷範囲付近での酸素の検出は、医師が創傷の治癒の状態を決定することを助ける。上昇された温度の存在が感染を示し得る。
【００３５】
本開示が例示されかつ記述されてきたが、本開示の精神を全く逸脱することなく、様々な改変および置換が行われ得るので、示された詳細に限定されることは意図されていない。例えば、２００６年９月７日に出願された仮特許出願第６０／７１４，８０５号に対する優先権を主張する、Ｅｘｐｒｅｓｓ  Ｍａｉｌ  Ｃｅｒｔｉｆｉｃａｔｅ  Ｎｏ．ＥＬ９８５１９４５０８  ＵＳの下で本明細書と共に同時に出願された同一出願人に譲渡された国際出願の主題と、２００６年９月７日に出願された仮特許出願第６０／７１４，９１２号に対する優先権を主張する、Ｅｘｐｒｅｓｓ  Ｍａｉｌ  Ｃｅｒｔｉｆｉｃａｔｅ  Ｎｏ．ＥＶ８７９１０３０５４  ＵＳの下で本明細書と共に同時に出願された同一出願人に譲渡された特許出願の主題とが、本開示に援用される（各出願の全内容は本明細書において援用されている）ことが想定されている。従って、本明細書において開示された本発明のさらなる改変および均等物が、単に普通の実験を行って、当業者に見出され得、そのような全ての改変および均等物は、添付の特許請求の範囲によって定義されるような本開示の精神および範囲を逸脱することはないと考えられる。
【図面の簡単な説明】
【００３６】
【図１】図１は、本開示の原理に従った自蔵創傷手当てとマイクロポンプシステムとの斜視図である。
【図２】図２は、創傷床の上にあり、かつ、真空が存在しない通常の膨張した状態にある創傷手当てを例示している側面断面図である。
【図３】図３は、マイクロポンプシステムの概略図である。
【図４】図４は、マイクロポンプシステムによって生成された、大気圧よりも低い圧力を受けたときの収縮した状態における創傷手当てを例示している、図２の図と同様な図である。
【図５】図５は、吸収性層および／またはマイクロポンプシステムの除去を可能にする開いた状態における、創傷手当てのアクセスドアを例示している図である。
【図６】図６は、本開示の自蔵創傷手当てとマイクロポンプシステムとの別の実施形態の側面断面図である。
【図７】図７は、本開示の自蔵創傷手当てとマイクロポンプシステムとのさらに別の実施形態の側面断面図である。
【図１】
2009506878.tif 000003
【図２】
2009506878.tif 000004
【図３】
2009506878.tif 000005
【図４】
2009506878.tif 000006
【図５】
2009506878.tif 000007
【図６】
2009506878.tif 000008
【図７】
2009506878.tif 000009
【国際調査報告】
2009506878.tif 000010